(57)【要約】  本発明は、第四級アンモニウム基を有する新規ポリシロキサン、およびその製造方法に関する。本発明は、皮膚および皮膚付属器のケアおよびクリーニング用の処方物、例えば毛髪用コンディショニング剤等において、前記ポリマーをケア有効成分として使用することにさらに関する。【選択図】なし【特許請求の範囲】
【請求項１】
少なくとも１つの第四級アンモニウム基を含み、一般式（Ｉ）
ＭａＭ’ａ１Ｍ’’ａ２Ｍ’’’ａ３ＤｂＤ’ｂ１Ｄ’’ｂ２Ｄ’’’ｂ３ＴｃＴ’ｃ１Ｑｄ
式（Ｉ）
（式中、
Ｍ＝（Ｒ１３ＳｉＯ１／２）であり、
Ｍ’＝（Ｒ２Ｒ１２ＳｉＯ１／２）であり、
Ｍ’’＝（Ｒ３Ｒ１２ＳｉＯ１／２）であり、
Ｍ’’’＝（Ｒ４Ｒ１２ＳｉＯ１／２）であり、
Ｄ＝（Ｒ１２ＳｉＯ２／２）であり、
Ｄ’＝（Ｒ２Ｒ１ＳｉＯ２／２）であり、
Ｄ’’＝（Ｒ３Ｒ１ＳｉＯ２／２）であり、
Ｄ’’’＝（Ｒ４Ｒ１ＳｉＯ２／２）であり、
Ｔ＝（Ｒ５ＳｉＯ３／２）であり、
Ｔ’＝（Ｒ２ＳｉＯ３／２）であり、
Ｑ＝（ＳｉＯ４／２）であり、
ａ＝０〜３２、好ましくは０〜２２、より特定すれば０〜１２であり、
ａ１＝０〜１０、好ましくは０〜５、より特定すれば０であり、
ａ２＝０〜３２、好ましくは０〜２２、より特定すれば１〜１２であり、
ａ３＝０〜１０、好ましくは０〜５、より特定すれば０であり、
ただし、
ａ＋ａ１＋ａ２＋ａ３＞３、好ましくは＞４であり、
ｂ＝１〜６００、好ましくは１０〜５００、より特定すれば２０〜４００であり、
ｂ１＝０〜１０、好ましくは０〜５、より特定すれば０であり、
ｂ２＝０〜８０、好ましくは０〜５０、より特定すれば０〜１０であり、
ｂ３＝０〜２０、好ましくは０〜１０、より特定すれば０であり、
ｃ＝０〜３０、好ましくは１〜２０、より特定すれば２〜１５であり、
ｃ１＝０〜１０、好ましくは０〜５、より特定すれば０であり、
ｄ＝０〜１５、好ましくは１〜１２、より特定すれば２〜１０であり、
ただし、
ａ２＋ｂ２≧１、好ましくは＞３であり、および
ｃ＋ｃ１＋ｄ＞１、好ましくは＞２、より特定すれば≧３であり、
Ｒ１＝互いに独立して、同一のまたは異なる、１〜３０個の炭素原子を有する、直鎖状または分枝状の、任意選択により芳香族の炭化水素基、好ましくはメチルまたはフェニル、より特定すればメチルであり、
Ｒ２＝互いに独立して、同一のまたは異なる、例えばメトキシ、エトキシ、ｎ−プロポキシ、またはイソプロポキシ基、アセトキシ等のアルコキシまたはアシルオキシ基、より特定すればエトキシまたはイソプロポキシ基であり、
Ｒ３＝互いに独立して、同一のまたは異なる、第四級アンモニウム官能基を有する有機基であり、
Ｒ４＝互いに独立して、同一のまたは異なる、有機エポキシ基であり、
Ｒ５＝互いに独立して、同一のまたは異なる、Ｒ１、Ｒ３またはＲ４基、好ましくはＲ１基、より特定すればメチル、フェニル、ドデシル、またはヘキサデシルである）
で表される、ポリシロキサン。
【請求項２】
Ｒ４基が、
【化９】
2013517337.tif 000047
の群より選択される、同一のまたは異なる基であることを特徴とする、請求項２に記載のポリシロキサン。
【請求項３】
Ｒ３基が、構造−Ｒ６−Ｒ７を有する基であり、
Ｒ６基は、好ましくは、
【化１０】
2013517337.tif 000048
の群より選択される同一のまたは異なる二価の基であり、
Ｒ７は、
【化１１】
2013517337.tif 000049
からなる群より選択され、
Ｒ８は、水素または１〜６個のＣ原子を有するアルキルの群に由来する、同一のまたは異なる基であり、好ましくはメチルであり、
Ｒ９は、同一のまたは異なる、任意選択によりエーテル官能基を含む二価の炭化水素基であり、好ましくはメチレンであり、
Ｒ１０、Ｒ１１、およびＲ１２は、各々の場合に互いに独立して、水素または１〜３０個のＣ原子を有するアルキル基、または式
【化１２】
2013517337.tif 000050
で表される基であり、
Ｒ１３は、
−Ｏ−、−ＮＲ１６−、
の群に由来する同一のまたは異なる基であり、
Ｒ１４は、同一のまたは異なる、任意選択により分枝状の、二価の炭化水素基であり、好ましくはエチレンまたはプロピレンであり、
Ｒ１５は、同一のまたは異なる、任意選択によりエーテル官能基を含む、１〜３０個のＣ原子を有するアルキル、アリール、またはアルカリル基であり、好ましくはメチル、エチル、またはフェニル、より特定すればメチルであり、
Ｒ１６は、同一のまたは異なる、水素または１〜６個のＣ原子を有するアルキルの群に由来する基であり、
ｍ＝２〜１８であり、
ｎ＝２〜１８、好ましくは３であり、
ｏ＝０〜３０、好ましくは０〜１０、より特定すれば１〜３であり、
ｐ＝０〜３０、好ましくは０〜１０であり、
Ａ−は、酸ＨＡの無機または有機陰イオンおよびその誘導体から選択される、第四級窒素基上の正電荷に対する、同一のまたは異なる対イオンである、
ことを特徴とする、請求項２または３に記載のポリシロキサン。
【請求項４】
Ａ）混合物の平衡化および凝縮により、ＴユニットおよびＱユニットより選択される少なくとも２つのユニットを介して分枝したＳｉＨ基含有シロキサン構造を調製する工程であって、
前記混合物が、以下の成分：
ａ）少なくとも１つのＳｉＨ官能基を有するシロキサン、
ｂ）少なくとも１つのＳｉＨ官能基を有さないシロキサン、
および成分ｃ）または成分ｄ）のいずれか一方、
または成分ｃ）およびｄ）の両方、
を含み、ここで、
ｃ）は、少なくとも１つのテトラアルコキシシラン、
ｄ）は、少なくとも１つのトリアルコキシシラン、
であり、水および少なくとも１つの好適な触媒が添加されている、
工程と、
Ｂ）少なくとも１つの不飽和エポキシドを用いて、方法工程Ａ）より得られたＳｉＨ官能基を有するシロキサンをヒドロシリル化する工程と、
Ｃ）少なくとも１つの第三級アミンを用いて、方法工程Ｂ）より得られたエポキシシロキサンを四級化する工程と、
を含む、請求項１から３の少なくとも一項に記載のポリシロキサンを調製する方法。
【請求項５】
化粧品、医薬または皮膚科用組成物の製造のための、請求項１から３の少なくとも一項に記載の少なくとも１つの化合物、または請求項４に記載の方法により得ることができる少なくとも１つのポリシロキサンの使用。
【請求項６】
ケアおよびクリーニング処方物中のケア有効成分としての、請求項１から３の少なくとも一項に記載の少なくとも１つの化合物、または請求項４に記載の方法により得ることができる少なくとも１つのポリシロキサンの使用。
【請求項７】
ヘアトリートメント組成物およびヘアアフタートリートメント組成物用のコンディショニング剤としての、および毛髪の構造を改善する薬剤としての、請求項１から３の少なくとも一項に記載の少なくとも１つの化合物、または請求項４に記載の方法により得ることができる少なくとも１つのポリシロキサンの使用。
【請求項８】
請求項１から３の少なくとも一項に記載の少なくとも１つの化合物、または請求項４に記載の方法により得ることができる少なくとも１つのポリシロキサンを含む化粧品、医薬または皮膚科用組成物、より特定すれば、毛髪から洗い流される、または毛髪に留まる界面活性剤含有水性ケアおよびクリーニング処方物、ヘアトリートメント組成物、およびヘアアフタートリートメント組成物。
【請求項９】
請求項１から３の少なくとも一項に記載の少なくとも１つの化合物、または請求項４に記載の方法により得ることができる少なくとも１つのポリシロキサンを含む、家庭用、産業用、および機関向け用途のクリーニングおよびケア処方物、より特定すればファブリック柔軟剤。
【発明の詳細な説明】
【技術分野】
【０００１】
本発明は、第四級アンモニウム基を有する革新的なポリシロキサン、およびその調製方法に関する。本発明は、皮膚および表皮派生物（derivatives）のケアおよびクリーニング用の処方物、例えば毛髪用コンディショニング剤等において、および家庭および産業で用いられるクリーニングおよびメンテナンス製品において、このようなポリマーをケア有効成分として使用することにさらに関する。
【背景技術】
【０００２】
第四級アンモニウム基を有するポリシロキサン、およびヘアケアまたはテキスタイル柔軟剤用の添加物としてこれを利用することは、特許文献から公知である。
【０００３】
例えば、ＤＥ１４  ９３  ３８４、ＥＰ００１７１２２およびＵＳ４８９５９６４には、シロキサンが、中間部位においてポリマー上で統計的に分布した第四級アンモニウム基で変性された（modified）構造が記載されている。これらの化合物は、顕著なシリコーン特性を有さない欠点、および例えば毛髪またはテキスタイル用のコンディショニング剤として効果的な活性が認められないという欠点を有する。
【０００４】
顕著なシリコーン特性は、ＤＥ３７  １９  ０８６およびＥＰ０  ２９４  ６４２に記載されている種類のカチオン性ポリシロキサンに認められる。ＤＥ３７  １９  ０８６に記載されている構造、およびＥＰ０  ２９４  ６４２に記載されている構造では、ポリシロキサンの末端位置に第四級官能基が結合している。このような種類の化合物は、コンディショニング剤としての同化合物の効果に関して、毛髪やテキスタイル用に限らず、硬表面用としても利点をもたらす。化粧品処方物におけるこのような化合物の使用は、例えばＥＰ０５３０９７４、ＥＰ６１７６０７、ＥＰ１０８０７１４、ＷＯ２００１０８２８７９、およびＵＳ６２０７１４１に記載されている。
【０００５】
それにもかかわらず、そこに記載されている構造は、２つのカチオン性の基を有するにすぎない。実質性が比較的低いことから、特殊な表面を対象とするポリシロキサンの親和性は比較的小さい。
【０００６】
ＤＥ−Ａ  ３３  ４０  ７０８より、ポリ第四級（polyquaternary）ポリシロキサンポリマーが公知である。この種のポリ第四級ポリシロキサンポリマーは上記欠点を有さない。しかし、このような化合物を調製する方法が複雑かつ高価であるために、このような化合物を実用的に使用するには抵抗がある。当該化合物は調製可能であるが、その理論収率は６０％未満であり、経済的に許容されない。
【０００７】
ヒトの毛髪は、非常に幅広い様々な影響に毎日曝露されている。ブラッシングし、櫛で梳かし、髪を結い上げ、または後ろで束ねることに因る機械的ストレスの他、毛髪は、環境影響、例えば強いＵＶ照射、寒さ、風、および水による攻撃も受ける。問題とするヒトの生理学的な状態（例えば、年齢、健康）も、ケラチン繊維の状態に影響を及ぼす。
【０００８】
特に化学薬剤でトリートメントすると、毛髪の構造および表面特性が変化する。例えばパーマネントウェーブ、漂白、カラーリング、ティンティング、ストレートニング等の方法の他、侵襲性の界面活性剤を用いて高頻度で洗髪を行うと、毛髪の構造に多かれ少なかれ深刻なダメージを与える原因となる。例えば、パーマネントウェーブトリートメントの場合は、毛髪の皮質およびキューティクルの両方が攻撃を受ける。シスチンのジスルフィド架橋は、還元工程により破壊され、その後の酸化工程で、部分的に酸化されて酸性システインとなる。
【０００９】
漂白の場合は、メラニンが破壊されるだけでなく、軽度の漂白トリートメントの場合、シスチン内のジスルフィド結合の約１５％〜２５％が酸化される。過度の漂白の場合は、この数値は４５％まで高まる可能性がある（K. F. de Polo, A Short Textbook of Cosmetology, 2000, Verlag fur chemische Industrie, H. Ziolkowsky GmbH）。
【００１０】
したがって、化学的なトリートメント、高頻度の洗髪、またはＵＶ照射を行うと、自然に分泌された毛髪の脂肪または保水物質（皮脂）が除去され、これに誘発されて毛髪に対して有害な機械性質が生み出される。毛髪は、その結果、もろく、乾燥し、はりがなく、多孔性となり、櫛で梳かすことが困難となる。
【００１１】
さらに、十分に洗髪された毛髪では、個々の毛髪はちぢれ毛となり、もつれる傾向があるので、濡れた状態および乾燥状態のいずれにおいても櫛で梳かすことが一般的に非常に困難である。したがって、毛髪は、最初は洗髪期間中、およびその後の櫛で梳かす期間中にその抵抗性を失う。この抵抗性の喪失は、濡れた毛髪の張力が顕著に低下することで明らかとなる。さらに、このような毛髪では、化学薬品、界面活性剤、および環境効果に起因するさらなるダメージに対する抵抗性が、健康な毛髪よりも低い。
【００１２】
このようにダメージを受けた毛髪をケアするために、例えばヘアリンス、ヘアリペアトリートメント、シャンプー、リーブインコンディショナー等の特定の調製物があるが、これらは、特にダメージを受けた毛髪の櫛の通り、手触り、および光沢を改善することができる。上記種類の市販のヘアケア組成物は、カチオン性、アルキルアンモニウムベースの界面活性剤、ポリマー、ワックス、または油またはシリコーン液を主に含む。上記化合物の活性は、毛髪表面の疎水化を含む効果の原因となり得る。
【００１３】
これら組成物のいずれについても、達成される毛髪のケア効果（コンディショニング）は良好であるが、当該ケア製品により外観、特に毛髪の光沢までは改善せず、場合によっては損われることさえある。
【００１４】
その結果、洗浄効果の他、毛髪のケアも強化すると同時に良好な光沢を与え、毛髪の構造に対するダメージから毛髪を保護し、また環境効果の他、シェーピングやカラーリングトリートメントにより毛髪にすでに引き起こされた構造的なダメージを最小限に抑えるような、個人衛生用の汎用性のある有効成分およびケア組成物、例えばシャンプー、ヘアトリートメント組成物、およびヘアアフタートリートメント組成物に対する要求が継続して存在する。
【発明の概要】
【発明が解決しようとする課題】
【００１５】
本発明の目的は、ダメージヘアであってもなくても、そのような毛髪の特性、例えば櫛の通り、柔軟性、ボリューム感、髪の形を整える特性、取り扱い特性、およびもつれた髪をほぐす特性を強化するだけではなく、毛髪に魅力的な光沢を与えることができる、この種の有効成分を提供することである。したがって、当該化合物は、機械的およびその他の性質について、改善したまたは少なくとも等しく良好な個別の効果であるが、全体として改善した複合効果を示す。
【課題を解決するための手段】
【００１６】
驚くべきことに、第四級アンモニウム基を含み、シロキサン部分で分枝した、一般式（Ｉ）のシロキサンが上記の目的を達成することが認められた。
【００１７】
本発明のシロキサンの１つの利点として、それらは、側鎖変性シロキサンおよびα，ω−変性シロキサンの利点を一体化し、純粋に直鎖状の構造と比較してより多数の置換可能性を有し得るという意味においてより高い程度の変性を示すことが挙げられる。その結果、特に良好なコンディショニング効果を化粧用、皮膚科用および医薬処方物に導入することが可能な、長く、途切れていないシロキサン骨格を有する構造を得ることができる。本発明のシロキサンの別の利点として、これらのシロキサンおよびこれから製造された下流製品は、ゲル化する傾向を有さないか、ほとんど有さず、したがって製品の粘度に重大な変化を引き起こさずに比較的長期間保管可能なことが挙げられる。この利点は、具体的には高分子量の製品について強調され得る。したがって、本発明の製品は、特に、第四級アンモニウム基を含み、シリコーン部分で分枝し(branched）、したがって高度に分枝し、比較的高分子量（平均モル質量＞３０００ｇ／ｍｏｌ）である有機変性シロキサンに基づくが、この構造は、それにもかかわらずゲル化せず、したがって比較的低粘度である。
【００１８】
本発明のさらなる利点として、式（Ｉ）で規定される第四級アンモニウム基を有するポリシロキサンは、皮膚および毛髪に対して顕著なコンディショニング効果を発揮することが挙げられる。皮膚に対するこのようなコンディショニング効果の結果として、水性の界面活性剤含有処方物を利用した後に乾燥し、もろいまたは荒れた皮膚状態となるのを防止することができ、また快適で、ビロードや絹のような手触りを得ることができる。
【００１９】
別の利点として、ケア有効成分として発明利用すると、処方物において初期の泡立ちが強化され、泡量が増加し、泡がよりクリーミーになることに寄与することが挙げられる。
【００２０】
さらに、ケア有効成分として本構造物を発明利用すると、毛髪の光沢が改善する。
【００２１】
本発明が、例えば様々な複数ユニットを有することができるポリシロキサン等の化合物を記載する場合、これらのユニットは統計的分布で（ランダムオリゴマー）または規則化した形（ブロックオリゴマー）で生じ得る。このような化合物内のユニット数に関するデータは、このような化合物全体について平均化された平均値として理解されるべきである。
【００２２】
表示されるすべての割合（%）は、別途明記しない限り、質量による割合（%）である。
【００２３】
例えば圧力および温度等の条件は、すべて別途規定しない限り、標準の条件である。
【００２４】
したがって、本発明は、少なくとも１つの第四級アンモニウム基を含み、一般式（Ｉ）
ＭａＭ’ａ１Ｍ’’ａ２Ｍ’’’ａ３ＤｂＤ’ｂ１Ｄ’’ｂ２Ｄ’’’ｂ３ＴｃＴ’ｃ１Ｑｄ  式（Ｉ）
（式中、
Ｍ＝（Ｒ１３ＳｉＯ１／２）であり、
Ｍ’＝（Ｒ２Ｒ１２ＳｉＯ１／２）であり、
Ｍ’’＝（Ｒ３Ｒ１２ＳｉＯ１／２）であり、
Ｍ’’’＝（Ｒ４Ｒ１２ＳｉＯ１／２）であり、
Ｄ＝（Ｒ１２ＳｉＯ２／２）であり、
Ｄ’＝（Ｒ２Ｒ１ＳｉＯ２／２）であり、
Ｄ’’＝（Ｒ３Ｒ１ＳｉＯ２／２）であり、
Ｄ’’’＝（Ｒ４Ｒ１ＳｉＯ２／２）であり、
Ｔ＝（Ｒ５ＳｉＯ３／２）であり、
Ｔ’＝（Ｒ２ＳｉＯ３／２）であり、
Ｑ＝（ＳｉＯ４／２）であり、
ａ＝０〜３２、好ましくは０〜２２、より特定すれば０〜１２であり、
ａ１＝０〜１０、好ましくは０〜５、より特定すれば０であり、
ａ２＝０〜３２、好ましくは０〜２２、より特定すれば１〜１２であり、
ａ３＝０〜１０、好ましくは０〜５、より特定すれば０であり、
ただし、
ａ＋ａ１＋ａ２＋ａ３＞３、好ましくは＞４であり、
ｂ＝１〜６００、好ましくは１０〜５００、より特定すれば２０〜４００であり、
ｂ１＝０〜１０、好ましくは０〜５、より特定すれば０であり、
ｂ２＝０〜８０、好ましくは０〜５０、より特定すれば０〜１０であり、
ｂ３＝０〜２０、好ましくは０〜１０、より特定すれば０であり、
ｃ＝０〜３０、好ましくは１〜２０、より特定すれば２〜１５であり、
ｃ１＝０〜１０、好ましくは０〜５、より特定すれば０であり、
ｄ＝０〜１５、好ましくは１〜１２、より特定すれば２〜１０であり、
ただし、
ａ２＋ｂ２≧１、好ましくは＞３であり、および
ｃ＋ｃ１＋ｄ＞１、好ましくは＞２、より特定すれば≧３であり、
Ｒ１＝互いに独立して、同一のまたは異なる、１〜３０個の炭素原子を有する、直鎖状または分枝状の、任意選択により芳香族の炭化水素基、好ましくはメチルまたはフェニル、より特定すればメチルであり、
Ｒ２＝互いに独立して、同一のまたは異なる、例えばメトキシ、エトキシ、ｎ−プロポキシ、またはイソプロポキシ基、アセトキシ等のアルコキシまたはアシルオキシ基、より特定すればエトキシまたはイソプロポキシ基であり、
Ｒ３＝互いに独立して、同一のまたは異なる、第四級アンモニウム官能基を有する有機基であり、
Ｒ４＝互いに独立して、同一のまたは異なる、有機エポキシ基であり、
Ｒ５＝互いに独立して、同一のまたは異なる、Ｒ１、Ｒ３またはＲ４基、好ましくはＲ１基、より特定すればメチル、フェニル、ドデシル、またはヘキサデシルである）
で表される、ポリシロキサンを提供する。
【００２５】
好適なエポキシ基Ｒ４は、例えば好ましくは、
【００２６】
【化１】
2013517337.tif 000002
の群より選択される、同一のまたは異なる基である。
【００２７】
好適なＲ３基は、例えば構造−Ｒ６−Ｒ７を有する基であり、
Ｒ６基は、好ましくは、
【００２８】
【化２】
2013517337.tif 000003
の群より選択される同一のまたは異なる二価の基であり、
Ｒ６は、好ましくは、
【００２９】
【化３】
2013517337.tif 000004
であり、
Ｒ７は、
【００３０】
【化４】
2013517337.tif 000005
からなる群より選択され、
Ｒ８は、水素または１〜６個のＣ原子を有するアルキルの群に由来する、同一のまたは異なる基であり、好ましくはメチルであり、
Ｒ９は、同一のまたは異なる、任意選択によりエーテル官能基を含む、二価の炭化水素基であり、好ましくはメチレンであり、
Ｒ１０、Ｒ１１、およびＲ１２は、各々の場合に互いに独立して、水素または１〜３０個のＣ原子を有するアルキル基、または式
【００３１】
【化５】
2013517337.tif 000006
で表される基であり、
Ｒ１３は、
−Ｏ−、−ＮＲ１６−、
の群に由来する同一のまたは異なる基であり、
Ｒ１４は、同一のまたは異なる、任意選択により分枝状の、二価の炭化水素基であり、好ましくはエチレンまたはプロピレンであり、
Ｒ１５は、同一のまたは異なる、任意選択によりエーテル官能基を含む、１〜３０個のＣ原子を有するアルキル、アリール、またはアルカリル基であり、好ましくはメチル、エチル、またはフェニル、より特定すればメチルであり、
Ｒ１６は、同一のまたは異なる、水素または１〜６個のＣ原子を有するアルキルの群に由来する基であり、
ｍ＝２〜１８であり、
ｎ＝２〜１８、好ましくは３であり、
ｏ＝０〜３０、好ましくは０〜１０、より特定すれば１〜３であり、
ｐ＝０〜３０、好ましくは０〜１０であり、
Ａ−は、酸ＨＡの無機または有機陰イオンおよびその誘導体から選択される、第四級窒素基上の正電荷に対する、同一のまたは異なる対イオンである。
【００３２】
本発明のさらに好ましい実施形態では、第四級窒素基上の正電荷に対する対イオンＡ−は、特に好ましくは、酢酸、Ｌ−ヒドロキシカルボン酸、より特定すれば乳酸、または芳香族カルボン酸より選択される生理学的に許容される酸ＨＡの陰イオンから構成される。
【００３３】
その他の好ましい対イオンは、一般的な第四級化剤に由来する。これらは、より特定すれば、硫酸エチル、硫酸メチル、トルエンスルホナート、塩化物、および臭化物である。
【００３４】
当業者にとって、混合物形態の化合物が、統計的な法則により実質的に支配された分布で存在するということは精通概念である。
【発明を実施するための形態】
【００３５】
本発明のシロキサンの調製：
本発明は、
Ａ）混合物の平衡化および凝縮により、ＴユニットおよびＱユニットより選択される少なくとも２つのユニットを介して分枝したＳｉＨ基含有シロキサン構造を調製する工程であって、
前記混合物が、以下の成分：
ａ）少なくとも１つのＳｉＨ官能基を有するシロキサン、
ｂ）少なくとも１つのＳｉＨ官能基を有さないシロキサン、
および成分ｃ）または成分ｄ）のいずれか一方、
または成分ｃ）およびｄ）の両方、
を含み、ただし、
ｃ）は、少なくとも１つのテトラアルコキシシランであり、
ｄ）は、少なくとも１つのトリアルコキシシランであり、
水および少なくとも１つの好適な触媒が添加されている、工程と、
Ｂ）少なくとも１つの不飽和エポキシドを用いて、方法工程Ａ）より得られたＳｉＨ官能基を有するシロキサンをヒドロシリル化する工程と、
Ｃ）少なくとも１つの第三級アミンを用いて、方法工程Ｂ）より得られたエポキシシロキサンを四級化する工程と、
を含む、本発明に記載の一般式（Ｉ）のポリシロキサンを調製する方法をさらに提供する。
【００３６】
本発明に従い、方法の工程Ａ）で用いる触媒は、固体触媒、好ましくは固体のブレンステッド酸触媒であるのが好ましい。酸イオン交換体としては、先行技術から公知のイオン交換体を使用することが可能である。本発明の方法の工程Ａ）では、天然のイオン交換体、例えばゼオライト、モンモリロナイト、アタパルジャイト、ベントナイト、およびその他のケイ酸アルミニウム等の他、合成イオン交換体も使用することができる。後者は、好ましくはフェノール−ホルムアルデヒド樹脂をベースとする三次元、水不溶性、高分子量のマトリックスを有する固体（通常、粒子形態）、または非常に多くの様々な酸性度の「アンカー基」が組み込まれたスチレン−ジビニルベンゼンのコポリマーである。方法工程Ａ）では、より特定すれば、例えばブランド名Ａｍｂｅｒｌｉｔｅ（登録商標）、Ａｍｂｅｒｌｙｓｔ（登録商標）、またはＤｏｗｅｘ（登録商標）、およびＬｅｗａｔｉｔ（登録商標）として公知の製品等の酸性アルミナまたは酸性イオン交換樹脂を使用することができる。酸性イオン交換体として、スルホン酸イオン交換樹脂を使用するのが特に好ましい。
【００３７】
本発明の方法の工程Ａ）で用いられる酸性イオン交換体は、好ましくはＥＰ１  ４３９  ２００に記載されている種類のものである。
【００３８】
本発明の方法の工程Ａ）で、使用する触媒は、少なくとも１つの固体酸性イオン交換体（触媒１）および少なくとも１つのその他の非固体ブレンステッド酸触媒（触媒２）、より特定すれば液体の酸を含む場合、有利であり得る。触媒２として、本発明では、鉱酸、好ましくは硫酸、および／または、好ましくは有機スルホン酸、好ましくはトリフルオロメタンスルホン酸を使用することが可能である。この触媒混合物は、好ましくは反応混合物に直接添加される。触媒としては、トリフルオロメタンスルホン酸およびスルホン酸イオン交換樹脂、好ましくはＬｅｗａｔｉｔ（登録商標）Ｋ２６２１（Bayer Material Science）の混合物を使用するのが好ましい。触媒混合物は、好ましくは触媒１と触媒２との質量比として１０：１〜１００：１を有する。この質量比は、より特定すれば、Ｌｅｗａｔｉｔ（登録商標）触媒を触媒１として、またトリフルオロメタンスルホン酸を触媒２として使用する場合に好ましい。
【００３９】
方法工程Ａ）で触媒として２つの触媒１および２が用いられる場合、最初に触媒２が好ましくは完全に出発物質混合物に添加され、次に水が添加され、ついで触媒１が好ましくは完全に水が添加された後にのみ添加される場合、有利であり得る。あるいは、触媒１および２は共に、水が添加される前に出発物質に添加可能である。
【００４０】
方法工程Ａ）にとって好適な条件および好ましい条件は、特に特許出願ＤＥ１０２００８０４１６０１．０およびＤＥ１０２００７０５５４８５．２に記載されており、両出願は、全体として本出願の開示内容の一部を形成するものとみなされる。
【００４１】
方法工程Ａ）では、方法の性質に応じて、残存アルコキシ基（部分的に不完全な凝縮が行った後に）がＳｉＨ官能基を有するシロキサン中に存在してもよい。これは、アルコキシシランのアルコキシ基のすべてが反応可能とならないように、例えば、加水分解および凝縮反応で完全な変換が達成される前に反応を中止することにより、または準化学量論的な分量で加水分解に必要とされる水を用いることにより達成可能である。
【００４２】
方法工程Ｂ）は、好ましくは貴金属触媒、より特定すればＰｔ、Ｒｈ、またはＲｕ触媒の存在下で実施される。
【００４３】
方法工程Ｂ）で好適に用いられる不飽和エポキシドは、例えばアリルグリシジルエーテル、ビニルシクロヘキセンオキシド、ノルボルナジエンモノエポキシドである。方法工程Ｂ）のヒドロシリル化反応にとって好適な条件および好ましい条件は、特に、例えばＥＰ１５２０８７０に記載されており、当該特許は本明細書において参考により組み込まれ、また本発明の開示内容の一部とみなされる。
【００４４】
方法工程Ｂ）では、ＳｉＨ基のいくつかはＳｉＣ架橋反応での反応により消費されず、代わりにヒドロキシル官能基上のＳｉＯＣ結合アルコキシ基またはアシルオキシ基の反応によってシロキサンに結合することが可能である。反応条件（触媒／共触媒、反応温度、反応物質の添加順序、溶媒使用を含む）を適切に選択することにより、この二次反応は、通常、十分に抑制可能である。
【００４５】
方法工程Ｂ）で得られるエポキシシロキサンは、最終的に方法工程Ｃ）で第三級アミンと反応して、第四級アンモニウム基を有する所望のシロキサンを形成する。方法工程Ｃ）の好適な条件および好ましい条件は、例えばＤＥ３７  １９  ０８６およびＥＰ０  ２９４  ６４２に記載されている。
【００４６】
当業者は、この種の反応順序の一部として、ＳｉＨ官能基を有するシロキサンの平衡化（方法工程Ａ）ならびにヒドロシリル化（方法工程Ｂ）および四級化（方法工程Ｃ）のいずれに関しても、二次反応が生ずる可能性があることを認識している。二次反応の程度は、反応物質の性質および反応条件を含む要因に依存する。したがって、例えば通常の方法により、カルボン酸の存在下でエポキシシロキサンを第三級アミンと反応させる場合、四級化の程度は約８０％〜９５％である。
【００４７】
当業者にとって、本発明の方法が、ポリシロキサンの混合物、より特定すれば技術的混合物を生成することは明らかである。このような混合物は、本発明と関連して用いる場合、用語「本発明の方法に従って調製される一般式（Ｉ）の化合物」または「本発明の方法に従って調製されるシロキサン」に含まれるものと理解される。
【００４８】
本発明の生成物の使用：
本発明によりさらに提供されるものとして、化粧用、医薬または皮膚科用組成物を製造するために、本発明のポリシロキサン、または本発明の方法により得ることができる、好ましくは本発明の方法により得られたポリシロキサンを使用することが挙げられる。
【００４９】
本発明に従えば、水溶性または水不溶性ポリシロキサンを使用することが可能である。これは、下記に規定する発明使用に関して適用される。製造される処方物（濁ったまたは透明な処方物）に応じて、当業者は、当該処方物を製造するために水溶性または水不溶性ポリシロキサンのいずれを使用すべきかについて精通している。本発明の意味において、用語「水不溶性」とは、水溶液中で２０℃および１ｂａｒの圧力で０．０１重量％未満の溶解度として定義される。本発明の意味において、用語「水溶性」とは、水溶液中で２０℃および１ｂａｒの圧力で０．０１重量％以上の溶解度として定義される。
【００５０】
本発明によりさらに提供されるものとして、ケアおよびクリーニング処方物におけるケア有効成分、好ましくは界面活性剤含有水性ケアおよびクリーニング処方物として、本発明のポリシロキサン、または本発明の方法により得ることができる、好ましくは本発明の方法に得られたポリシロキサンを使用することが挙げられる。
【００５１】
用語「ケア有効成分」とは、本明細書では、物をその当初の形態に維持する目的、外部影響（例えば、時間、光、温度、圧力、汚れ、物と接触するその他の反応性化合物との化学反応）から受ける効果、例えば劣化、汚れ、疲労、褪色を低減するもしくは防止する目的、またはさらに物の望ましく好ましい性質を改善するという目的を満たす物質を意味する。後者の事例には、毛髪の光沢の改善または問題とする物の伸縮性の向上が含まれる。
【００５２】
この文脈において、好ましいケア処方物は、光沢を改善するケア処方物である。
【００５３】
この文脈において、ケアおよびクリーニング処方物は、化粧用、医薬または皮膚科用組成物に限定されず、家庭および産業で用いられる、例えばタイル、木部、ガラス、セラミック、リノリウム、プラスチック、塗装表面、革、ファブリック、繊維等の無生物の表面をケアおよびクリーニングするための任意のそのような処方物であり得る。このような物の例として、窓ガラスと窓台、シャワーの仕切り壁、フローリング、例えばカーペット、タイル、ラミネート、ウッドブロック、コルクフロア、大理石、石材、および微細なストーンウェアフロア等、家庭用セラミック、例えばＷＣ、洗面器、ビデ、シャワートレイ、バスタブ、ドアハンドル、フィッティング等、家庭用機器、例えば洗濯機、乾燥機、食器洗浄機、セラミックまたはステンレス鋼製のシンク等、家具、例えばテーブル、いす、棚等、カウンタートップ、窓、台所用品、食器とカトラリー、ランドリー、特により身体に接近したもの（下着）、船舶、車両や航空機、例えば自動車、バス、モータボート、および帆船等、道具、例えば外科用器具、電気掃除機、マシン、輸送管、タンク、および輸送器具、食品加工におけるプロセッシングおよび貯蔵用具等が挙げられる。したがって、この文脈において、処方物は家庭用、産業用、および機関用のクリーニングおよびケア組成物で用いられる。
【００５４】
この文脈において、ケアおよびクリーニングされる表面は、好ましくは繊維またはテキスタイルの表面、より特定すれば、織布、ランドリー、家具、またはカーペットの表面である。
【００５５】
本発明によりさらに提供されるものとして、本発明のポリシロキサン、または本発明の方法により得ることができる、好ましくは本発明の方法により得られたポリシロキサンを、ヘアトリートメント組成物およびヘアアフタートリートメント組成物用のコンディショニング剤として、また毛髪の構造を改善する薬剤として使用することが挙げられる。
【００５６】
処方／組成物
本発明によりさらに提供されるものとして、化粧用、医薬または皮膚科用組成物であり、より特に好ましくは、界面活性剤含有水性ケアおよびクリーニング処方物、特に毛髪から洗い流されるかまたは毛髪に留まるヘアトリートメント組成物およびヘアアフタートリートメント組成物、例えば、顕著なコンディショニング効果を有するまたは有さないシャンプー、２イン１シャンプー、リンス、ヘアトリートメント、ヘアマスク、スタイリング補助剤、スタイリング組成物、ブロードライローション、ヘアセッティング組成物、パーマネントウェーブ組成物、ヘアスムージング組成物、および毛髪をカラーリングするための組成物が挙げられ、本発明のポリシロキサンのうちの少なくとも１つ、または本発明の方法により得ることができる、好ましくは本発明の方法により得られたポリシロキサンのうちの１つを含む。
【００５７】
本発明の組成物では、本発明のポリシロキサンは、０．０１〜２０質量％、好ましくは０．１〜８質量％、より好ましくは０．２〜４質量％の濃度で有利に用いられる。
【００５８】
本発明の組成物は、例えば
皮膚軟化剤（emollient）、
乳化剤、
増粘剤／粘度調整剤／安定剤、
酸化防止剤、
ヒドロトロープ（またはポリオール）、
固形物および充填材、
真珠光沢添加物、
防臭剤および発汗抑制有効成分、
防虫剤、
セルフタンニング剤、
防腐剤、
コンディショナー、
香水、
色素、
化粧品有効成分、
ケア添加物、
過脂肪剤、
溶媒、
からなる群より選択される少なくとも１つの追加成分を含み得る。
【００５９】
個々の群の典型的で代表的なものとして利用可能である物質は、当業者にとって公知であり、例えば、ドイツ特許出願ＤＥ１０２００８００１７８８．４に見出すことができる。この特許出願は、本明細書において参照により組み込まれ、したがって本開示内容の一部とみなされる。
【００６０】
その他の任意選択による成分、また用いられるその成分量については、当業者にとって公知の関連するハンドブック、例えばＫ．Ｓｃｈｒａｄｅｒ、「Ｇｒｕｎｄｌａｇｅｎ  ａｎｄ  Ｒｅｚｅｐｔｕｒｅｎ  ｄｅｒ  Ｋｏｓｍｅｔｉｋａ」、第２版、３２９〜３４１頁、Ｈｕｔｈｉｇ  Ｂｕｃｈ  Ｖｅｒｌａｇ  Ｈｅｉｄｅｌｂｅｒｇを明示的に参照する。
【００６１】
各添加量は、意図する使用に依存する。
【００６２】
特定用途のための一般的なガイドライン処方は、当技術分野ですでに公知であり、例えば個々の原料物質および有効成分の製造業者発行のパンフレットに記載されている。そのような既存の処方物は、通常、変更することなく採用することができる。ただし、必要に応じて、また必要なときに、適合化および最適化するために、単純な試験を用いて、複雑さもなく所望の変更を加えることができる。
【００６３】
本発明は、家庭用、産業用、および機関向け用途のクリーニングおよびケア処方物、例えば殺菌剤、消毒クリーナー、フォームクリーナー、フロアクリーナー、カーペットクリーナー、家具クリーナー、フロアケア製品、大理石クリーナー、ウッドブロックフロアクリーナー、石材およびセラミックフロアクリーナー、ワイプケア組成物、ステンレス鋼クリーナー、ガラスクリーナー、食器用洗剤、プラスチック用クリーナー、サニタリークリーナー、木部クリーナー、革クリーナー、ランドリー洗剤、ランドリーケア組成物、消毒洗剤、ヘビーデューティ洗剤、中性洗剤、ウール洗剤、ファブリック柔軟剤、および含浸（impregnating）組成物等をさらに提供し、本発明のポリシロキサンのうちの少なくとも１つ、または本発明の方法により得ることができる、好ましくは本発明の方法により得られたポリシロキサンのうちの１つを含む。この文脈において好ましい家庭用、産業用、および機関向け用途のクリーニングおよびケア処方物は、ランドリー洗剤、ランドリーケア組成物、ヘビーデューティ洗剤、中性洗剤、ウール洗剤、ファブリック柔軟剤、および含浸組成物、より特定すればファブリック柔軟剤である。
【実施例】
【００６４】
以下に記載する実施例では、本発明は、本発明の説明を目的とする例として記載され、その適用範囲は全体的な記載内容および特許請求の範囲により示されるのであって、本発明が実施例に記載された実施形態に限定されるべきであるという意図は一切ない。下記の本文では、範囲、化合物の一般式またはクラスが規定される場合、明示的に記載される対応する範囲または化合物の群に限らず、個々の数値（範囲）または化合物を抽出することにより得ることができるすべての部分範囲および化合物の部分群も含むように意図されている。本記載内容が文書を引用する場合、その内容がそのまま本発明の開示内容に属するべきであることを意図する。本発明が、例えば異なる複数モノマーユニットを有することができる有機変性ポリシロキサン等の化合物を記載する場合、これらのユニットは、これらの化合物内でランダム分布（ランダムオリゴマー）でまたは規則化した形（ブロックオリゴマー）で生じ得る。このような化合物内のユニット数を表す数値は、対応する化合物全体について平均化された統計的平均値を意味するものと理解されるべきである。
【００６５】
本発明実施例生成物１の調製：
Ａ）分枝状のＳｉＨ官能基を有するポリシロキサンの平衡化
特許出願ＤＥ１０２００８０４１６０１．０およびＤＥ１０２００７０５５４８５．２の説明に基づき、テトラエトキシシラン２２．９ｇ（０．１１ｍｏｌ）（＞９８％、Flukaより入手可能）、デカメチルシクロペンタシロキサン３６６．４ｇ（０．９９ｍｏｌ）（Gelest Inc.より入手可能）、およびＳｉＨとして２．９３ｍｏｌ／ｋｇの水素含有量（ＳｉＨ）を有するα,ω-ジヒドロゲノポリジメチルシロキサン１１２．６ｇを、ＫＰＧスターラー、内部温度計、滴下漏斗、および蒸留ブリッジを備えた四口フラスコに、撹拌しながら４０℃で導入した。トリフルオロメタンスルホン酸０．５ｇ（Sigma Aldrichより入手可能）を添加し、当該混合物を２時間撹拌した。その後、脱イオン水７．９ｇおよびエタノール２．０ｇからなる混合物を撹拌しながら５分間にわたって一滴ずつ添加し、当該混合物を４０℃で１時間撹拌した。事前乾燥したスルホン酸陽イオン交換樹脂Ｌｅｗａｔｉｔ（登録商標）Ｋ２６２１、３０．１ｇ（水分含有量１０重量％−カールフィッシャー法に基づく方法により求められた）を添加した後、過剰の水およびアルコールを蒸留により、約１５ｍｂａｒの減圧下、４０℃で１時間除去した。樹脂を濾過により単離した後、炭酸水素ナトリウム１０．０ｇで中和し、再度濾過した。これにより、水素（ＳｉＨ）含有量が０．０６５５％の無色透明の液体を得た。
【００６６】
Ｂ）エポキシシロキサンの調製
ＫＰＧスターラー、滴下漏斗、内部温度計、および還流コンデンサーを備えた３口フラスコ（５００ｍｌ）内で、１５ｐｐｍのシスプラチン触媒を添加し、窒素雰囲気の下、１２０℃で、実施例１ａ）により調製したＳｉＨ−シロキサン２３０．８ｇ（ＳｉＨ、０．１５ｍｏｌ）をアリルグリシジルエーテル２２．３ｇ（０．２０ｍｏｌ）と反応させた。２時間後、完全なＳｉＨ変換が達成された。その後、１２０℃、１ｍｂａｒで蒸留して、エポキシ含有量が０．９８％の無色透明の液体を得た。
【００６７】
Ｃ）第四級ポリシロキサン形成反応
ＫＰＧスターラー、滴下漏斗、内部温度計、および還流コンデンサーを備えた３口フラスコ（５００ｍｌ）に、３−Ｎ，Ｎ−ジメチルアミノプロピルラウラミド２７．０ｇ（０．０９５ｍｏｌ）、酢酸５．９ｇ（０．０９８ｍｏｌ）、およびイソプロパノール８０ｍｌを室温で導入し、この初回導入において撹拌を１時間行った。その後、実施例１ｂ）により調製した化合物１５５．１ｇ（エポキシ、０．０９５ｍｏｌ）を一滴ずつ添加した。次に、当該混合物を６５℃で窒素雰囲気下、８時間撹拌した。最後に、イソプロパノールを蒸留により６５℃、１ｍｂａｒで除去した。これにより、下記の統計式により記載される黄色味を帯びた透明な高粘稠性の液体を得た：
（Ｒ２Ｍｅ２ＳｉＯ１／２）６（Ｍｅ２ＳｉＯ１／２）１１２（ＳｉＯ４／２）２
式中、Ｒ２＝
【化６】
2013517337.tif 000007
である。
【００６８】
本発明実施例生成物２の調製：
Ａ）分枝状のＳｉＨ官能基を有するポリシロキサンの平衡化
特許出願ＤＥ１０２００８０４１６０１．０およびＤＥ１０２００７０５５４８５．２の説明に基づき、メチルトリエトキシシラン８９．２ｇ（０．５０ｍｏｌ）（Evonik Degussa GmbH製のDynasylan(登録商標)MTES）、デカメチルシクロペンタシロキサン１０２３．４ｇ（２．７６ｍｏｌ）（Gelest Inc.より入手可能）、および１，１，３，３−テトラメチルジシロキサン４７．０ｇ（０．３５ｍｏｌ）（Gelest Inc.より入手可能）を４０℃で、撹拌しながら、ＫＰＧスターラー、内部温度計、滴下漏斗、および蒸留ブリッジを備えた四口フラスコに導入した。トリフルオロメタンスルホン酸１．２ｇ（Sigma Aldrichから入手可能）を添加し、当該混合物を２時間撹拌した。その後、脱イオン水２７．０ｇおよびエタノール６．８ｇからなる混合物を撹拌しながら５分間にわたって一滴ずつ添加し、当該混合物を４０℃で１時間撹拌した。事前乾燥したスルホン酸陽イオン交換樹脂Ｌｅｗａｔｉｔ（登録商標）Ｋ２６２１、７０．０ｇ（水分含有量１０重量％−カールフィッシャー法に基づく方法により求められた）を添加した後、過剰の水およびアルコールを蒸留により、約１５ｍｂａｒの減圧下、４０℃で１時間除去した。樹脂を濾過により単離した後、炭酸水素ナトリウム２３．２ｇで中和し、再度濾過した。これにより、水素（ＳｉＨ）含有量が０．０６３４％の無色透明の液体を得た。
【００６９】
Ｂ）エポキシシロキサンの調製
ＫＰＧスターラー、滴下漏斗、内部温度計、および還流コンデンサーを備えた３口フラスコ（５００ｍｌ）内で、１５ｐｐｍのシスプラチン触媒を添加して、窒素雰囲気の下、１２０℃で、実施例２ａ）により調製したＳｉＨ−シロキサン２００．０ｇ（ＳｉＨ、０．１２６ｍｏｌ）をアリルグリシジルエーテル１８．７ｇ（０．１６４ｍｏｌ）と反応させた。２時間後、完全なＳｉＨ変換が達成された。その後、１２０℃、１ｍｂａｒで蒸留して、エポキシ含有量が０．９５％の無色透明の液体を得た。
【００７０】
Ｃ）第四級ポリシロキサン形成反応
ＫＰＧスターラー、滴下漏斗、内部温度計、および還流コンデンサーを備えた３口フラスコ（５００ｍｌ）に、３−Ｎ，Ｎ−ジメチルアミノプロピルラウラミド２５．３ｇ（０．０８９ｍｏｌ）、酢酸５．５ｇ（０．０９２ｍｏｌ）、およびイソプロパノール８０ｍｌを室温で導入し、この初回導入では、撹拌を１時間行った。その後、実施例２ｂ）により調製した化合物１５０．０ｇ（エポキシ、０．０８９ｍｏｌ）を一滴ずつ添加した。次に、当該混合物を６５℃で窒素雰囲気下、８時間撹拌した。最後に、イソプロパノールを蒸留により６５℃、１ｍｂａｒで除去した。これにより、下記の統計式により記載される黄色味を帯びた透明な高粘稠性の液体を得た：
（Ｒ２Ｍｅ２ＳｉＯ１／２）７（Ｍｅ２ＳｉＯ１／２）１３８（ＭｅＳｉＯ３／２）５
式中、Ｒ２＝
【化７】
2013517337.tif 000008
である。
【００７１】
比較例生成物３の調製（発明対象外）：
ａ）エポキシシロキサンの調製
ＫＰＧスターラー、滴下漏斗、内部温度計、および還流コンデンサーを備えた３口フラスコ（１ｌ）内で、１５ｐｐｍのシスプラチン触媒を添加し、窒素雰囲気の下、１２０℃で、式
（Ｍｅ３ＳｉＯ１／２）２（Ｍｅ２ＳｉＯ１／２）４４（ＭｅＨＳｉＯ１／２）４
の従来型の櫛状ＳｉＨ変性シロキサン３６７ｇ（ＳｉＨ、０．４ｍｏｌ）を、アリルグリシジルエーテル５９ｇ（０．５２ｍｏｌ）と反応させた。２時間後、完全なＳｉＨ変換が達成された。その後、１２０℃、１ｍｂａｒで蒸留して、エポキシ含有量が１．５５％の無色透明の液体を得た。
【００７２】
ｂ）第四級ポリシロキサン形成反応
ＫＰＧスターラー、滴下漏斗、内部温度計、および還流コンデンサーを備えた３口フラスコ（５００ｍｌ）に、３−Ｎ，Ｎ−ジメチルアミノプロピルラウラミド２８．４ｇ（０．１０ｍｏｌ）、酢酸６．３ｇ（０．１０５ｍｏｌ）、およびイソプロパノール１２０ｍｌを室温で導入し、この初回導入では、撹拌を１時間行った。その後、例３ａ）により調製した化合物２０６ｇ（エポキシ、０．１ｍｏｌ）が、一滴ずつ添加した。次に、当該混合物を６５℃で窒素雰囲気下、８時間撹拌した。最後に、イソプロパノールを蒸留により６５℃、１ｍｂａｒで除去した。これにより、下記の統計式により記載される黄色味を帯びた透明な、高粘稠性の液体を得た：
（Ｍｅ３ＳｉＯ１／２）２（Ｍｅ２ＳｉＯ１／２）４４（ＲＭｅＳｉＯ１／２）４
式中、Ｒ＝
【化８】
2013517337.tif 000009
である。
【００７３】
性能特性
処方成分は、本組成物では一般的に認められたＩＮＣＩ命名方式により、英語の用語を用いて命名されている。適用例に記載するすべての濃度は、重量％で表されている。
【００７４】
１．）皮膚のコンディショニング（スキンケア性能）試験および手洗い試験による泡特性：
水性界面活性剤処方物中の、シリコーン部分で分枝した本発明の有機変性シロキサン生成物１の皮膚のコンディショニング（スキンケア性能）および泡特性を評価するために、手洗い官能試験を先行技術による比較例３と比較して実施した。
【００７５】
比較例３は、当業界で広く普及しているケア有効成分であり、また水性界面活性剤処方物中の非常に効果的なケア有効成分とみなされている。
【００７６】
訓練を受けた対象１０名からなる群が、規定された方法で手を洗浄し、１（乏しい）〜５（非常に良好）の評価尺度を用いて、泡特性および皮膚の感触を評価した。
【００７７】
使用する生成物を標準化された界面活性剤処方物でそれぞれ試験した（表１）。
【００７８】
対照の処方物０ｂとして、有機変性シロキサンが添加されていない処方物が用いられる。
【００７９】
【表１】
2013517337.tif 000010
【００８０】
官能試験結果を表２にまとめる。
【００８１】
【表２】
2013517337.tif 000011
【００８２】
表２は、手洗い試験結果を表す。測定結果から、本発明の生成物１を用いた本発明の処方物１ｂは、先行技術の比較処方物Ｃ２ｂとの比較により、すべての適用特性で勝ることは明白である。
【００８３】
この観点から、発明処方物１ｂの結果は、非常に良好であるということができる。
【００８４】
測定値から、処方物１ｂ中の本発明の生成物１は、処方物Ｃ２ｂ中の生成物３と比較したとき、皮膚特性および泡特性に改善をもたらすことは明らかである。
【００８５】
さらに、測定値は、シリコーン化合物を含まない対照処方物０ｂは、処方物１ｂおよびＣ２ｂよりも測定値が劣っていることを示している。
【００８６】
２．）官能試験によるヘアコンディショニング試験：
ヘアコンディショニングの性能評価では、単純な化粧品処方（シャンプーおよびヘアリンス）で本発明の生成物２および比較生成物３が用いられた。
【００８７】
シャンプーにおける使用特性が、下記の処方で検査した。
【００８８】
【表３】
2013517337.tif 000012
【００８９】
シャンプー処方物の特性評価では、リンスによるアフタートリートメントは試験手順に含まれなかった。
【００９０】
ヘアリンスにおける使用特性を下記の処方で検査した。
【００９１】
【表４】
2013517337.tif 000013
【００９２】
ヘアリンス特性試験では、毛髪は、コンディショニング剤を含まないシャンプーで事前処理した。
【００９３】
性能評価では、官能試験で用いられた毛髪をパーマネントウェーブトリートメントおよび漂白トリートメントによる標準化された予備的なダメージに曝した。これらのトリートメントは標準的なヘアドレッサー製品を用いて実施した。試験手順、用いられた原料物質、および評価基準の詳細は、ＤＥ１０３  ２７  ８７１に記載されている。
【００９４】
コンディショニング試料を用いたダメージを受けやすいヘアストランドの標準化したトリートメント：
上記のように予備的なダメージに曝したヘアストランドが、上記シャンプーまたは上記コンディショニングリンスを用いて下記のように処理される。
【００９５】
ヘアストランドを温流水で濡らした。過剰の水は、手で容易に搾り出され、次にシャンプーが加えられ、毛髪の中に穏やかに組み込まれる（１ｍｌ／ヘアストランド（２ｇ））。１分間の滞留時間が経過した後、毛髪は１分間洗い流される。
【００９６】
その後、望む場合には直接、リンスが加えられ、毛髪の中に穏やかに組み込まれる（１ｍｌ／ヘアストランド（２ｇ））。１分間の滞留時間が経過した後、毛髪は１分間洗い流される。
【００９７】
官能評価する前に、毛髪は、２５℃、湿度５０％の空気中で少なくとも１２時間乾燥される。
【００９８】
評価基準：
官能評価は、１が最も不良で５が最も良好な評価とする１〜５のスケールに基づき査定される等級付けにより行われる。個々の試験基準は、それぞれ独立した評価を受ける。
試験基準は下記の通り：濡れた状態での櫛の通り、濡れた状態の手触り、乾燥した状態での櫛の通り、乾燥した状態での手触り、外観／光沢。
【００９９】
下記の表では、本発明の処方物１ｃ、比較処方物Ｃ２ｃ、および対照処方物０ｃ（試験物質を含まないプラセボ）を用い、ヘアストランドについて上記のように実施したトリートメントに関する官能評価結果が比較される。
【０１００】
【表５】
2013517337.tif 000014
【０１０１】
結果は、驚くべきことに、発明生成物２を含む本発明の処方物１ｃは、先行技術生成物３を含む比較処方Ｃ２ｃよりも有意に良好な評価を得ていることを示している。特筆すべきこととして、本発明の処方物のいずれもが、光沢特性について良好な評価を得たことが挙げられる。
【０１０２】
【表６】
2013517337.tif 000015
【０１０３】
ヘアリンスの利用においても、発明生成物２を含む本発明の処方物１ｄは、官能評価で非常に良好な美容評価結果を示している。この場合、比較生成物３を含む比較処方物Ｃ２ｄでもすでに非常に良好な特性を示しているが、本発明化合物２を含む本発明処方物１ｄにより、なおさらに増強された。
【０１０４】
本発明処方物１ｄを使用することにより、光沢についても有意により良好な評価結果が達成される。
【０１０５】
処方例：
下記の処方例は、第四級アンモニウム基を有する発明のポリシロキサンは、多様な化粧品処方物で利用可能であることを示している。
【０１０６】
【表７】
2013517337.tif 000016
【０１０７】
【表８】
2013517337.tif 000017
【０１０８】
【表９】
2013517337.tif 000018
【０１０９】
【表１０】
2013517337.tif 000019
【０１１０】
【表１１】
2013517337.tif 000020
【０１１１】
【表１２】
2013517337.tif 000021
【０１１２】
【表１３】
2013517337.tif 000022
【０１１３】
【表１４】
2013517337.tif 000023
【０１１４】
【表１５】
2013517337.tif 000024
【０１１５】
【表１６】
2013517337.tif 000025
【０１１６】
【表１７】
2013517337.tif 000026
【０１１７】
【表１８】
2013517337.tif 000027
【０１１８】
【表１９】
2013517337.tif 000028
【０１１９】
【表２０】
2013517337.tif 000029
【０１２０】
【表２１】
2013517337.tif 000030
【０１２１】
【表２２】
2013517337.tif 000031
【０１２２】
【表２３】
2013517337.tif 000032
【０１２３】
【表２４】
2013517337.tif 000033
【０１２４】
【表２５】
2013517337.tif 000034
【０１２５】
【表２６】
2013517337.tif 000035
【０１２６】
【表２７】
2013517337.tif 000036
【０１２７】
【表２８】
2013517337.tif 000037
【０１２８】
【表２９】
2013517337.tif 000038
【０１２９】
【表３０】
2013517337.tif 000039
【０１３０】
【表３１】
2013517337.tif 000040
【０１３１】
【表３２】
2013517337.tif 000041
【０１３２】
【表３３】
2013517337.tif 000042
【０１３３】
【表３４】
2013517337.tif 000043
【０１３４】
【表３５】
2013517337.tif 000044
【０１３５】
【表３６】
2013517337.tif 000045
【０１３６】
【表３７】
2013517337.tif 000046
【国際調査報告】
2013517337.tif 000051
2013517337.tif 000052
2013517337.tif 000053
2013517337.tif 000054